【事件の表示】
　特願２００１−１７１０３０「ファイル管理プログラム、ファイル管理プログラムを記録したコンピュータ読取可能な記録媒体、ファイル管理方法およびファイル管理装置」拒絶査定不服審判事件〔平成１４年１２月２０日出願公開、特開２００２−３６６５４１〕について、次のとおり審決する。
【結　論】
　本件審判の請求は、成り立たない。
【理　由】
１．手続の経緯・本願発明
　本願は、平成１３年６月６日の出願であって、平成１９年１２月２０日付けで拒絶査定がなされ、これに対し、平成２０年２月７日に拒絶査定不服審判の請求がなされるとともに、同年３月１０日付けで手続補正がなされ、その後、当審において平成２２年９月２２日付けで拒絶理由通知がなされ、それに対し、同年１１月１８日付けで手続補正がなされたものであり、その請求項７に係る発明は、平成２２年１１月１８日付け手続補正書によって補正された特許請求の範囲の請求項７に記載されたとおりの次のものと認める。（以下、「本願発明」という。）
「複数のファイルと、当該複数のファイルを順位を定義して関連付け、定義された順序に従い一括して前記複数のファイルを出力する際に参照される管理情報と、ブランクページファイルとを記憶する記憶手段と、
　前記複数のファイルそれぞれのページ数を取得する取得手段と、
　取得されたページ数それぞれが、奇数であるか否かを判断するための判断手段と、
　前記管理情報を、ページ数が奇数と判断されたファイルと、当該ファイルよりも順位が１つ下位のファイルとの間に、前記ブランクページファイルを加えるように、前記複数のファイルと前記ブランクページファイルについて新たに順位を定義して関連付けた管理情報に変更して、前記記憶手段に記憶させる変更手段とを備える、ファイル管理装置。」
　
２．引用例
　これに対して、当審において平成２２年９月２２日付けで通知した拒絶の理由に引用した特開平２−２９７１４３号公報（以下、「引用例１」という。）、及び特開平１０−１４３３４２号公報（以下、「引用例２」という。）には、それぞれ、図面とともに次の事項が記載されている。
　
（引用例１）
Ａ．「〔産業上の利用分野〕
　本発明は、構造化文書処理システムにおける印刷処理方式、特に、１つまたは複数種類の文書についての文書作成を含む処理を行うに当って、日本語文書処理機構を含む複数の文書処理処理ソフトウェアを利用すると共に、当該文書ソフトウェアを利用しつつ作成された個別文書について当該文書の階層構造を構造体として保持するようにした構造化文書を印刷出力するに当って頁指示を行い得るようにした構造化文書処理システムにおける印刷処理方式に関する。」（第２頁右上欄第３〜１３行）
　
Ｂ．「〔課題を解決するための手段〕
　第１図は本発明の原理構成図を示す。図中の符号１−ｉは個別文書、２−１，２−２，…は個別文書の内容を保持する文書ファイル、５は個別文書処理を実行する文書処理機能部、６は構造文書、７は文書内容を保持する文書保持機能部、５−１は印刷処理機能、５−２は印刷出力、５−１１は属性情報解読部、５−１２は先頭頁指示部、５−１３は個別文書内容読み込み部を表している。
　所望する個別文書、例えば個々の現に作成しようとするオフィス文書や技術文書や報告書や案内書や説明書や技術マニアルなどの個別文書は、−般に、文書名、表紙、第１章、第１．１節、第１．２節、…、第２章、…の如く階層構造をもつ。本発明の場合には、個別文書の上記階層構造（木構造）に注目して、当該階層構造に対応した論理構造を構造体として記述した構造文書６−ｉをもつようにされる。そして、当該構造文書６−ｉによって、当該個別文書の内容が格納されている文書ファイル２−１，２−２，…を指示するようにされる。
　文書処理機能部５は、日本語文書処理機構やグラフ処理機構などの文書処理ソフトウェア群を用いて、上記個別文書を作成したり修正したりする処理を行うものであるが、作成された個別文書を印刷出力する印刷処理機能５−１をそなえている。
　個別文書を印刷出力するに当っては、図示の構造文書６−ｉにおける例えばノード（１．１節）＃５やノード（１．２節）＃６やノード（２．１節）＃７，…などの内容を印刷する際に、先頭が例えば、奇数頁から印刷されることが望まれるとか、先頭が偶数頁から印刷されることが望まれるとか、先頭が奇・偶いずれの頁でも差し支えないとかの指示を、個別に与えることが望まれる。このために、構造文書６−ｉにおける図示のノード＃５，ノード＃６，ノード＃７，ノード＃８などにおける属性情報中に、印刷出力するに当っての印刷すべき頁に関する情報を記述するようにされる。
　印刷処理機能５−１における属性情報解読部５−１１は、上記属性情報を解読する。先頭頁指示部５−１２は、例えば奇数頁から印刷すべきものであった場合において、前の文書の内容が奇数頁で終わっていたような場合に、空白頁をとって奇数頁から印刷が始まるように指示する。個別文書内容読み込み部５−１３は、文書保持機能部７から文書内容を読み込み印刷出力５−２を得る。」（第２頁右下欄第１２行〜第３頁右上欄第１８行）
　
Ｃ．「〔作　用〕
　上述の如く用意された構造文書６−ｉは、各ノード毎に、（ｉ）自己のノードがどのような階層構造の中でどのような位置を占めているかを示す情報、（ii）自己のノードがどの文書処理ソフトウェアと関連づけられているかの情報、（iii）自己のノードがどの文書ファイル２−１，２−２，…に格納されている文書内容と関連づけられているかの情報などを記述されているが、併せて、自己のノードに関する属性情報が記述されている。当該属性情報の１つとして、本発明の場合には、印刷出力するに当っての印刷すべき頁に関する情報が記述されている。
　図示の属性情報解読部５−１１が当該属性情報を解読し、先頭頁をどのようにするかが先頭頁指示部５−１２に通知される。先頭頁指示部５−１２は、当該通知の内容と先の印刷内容がどのような頁で終了したかに関する情報とにもとづいて、先頭頁を指示する。即ち空白頁を置くかなどを指示する。印刷処理機能５−１は、個別文書内容読み込み部５−１３によって読み込んできた文書内容を印刷出力５−２として出力するが、このとき、先頭頁指示部５−１２からの指示を利用するようにされる。」（第３頁左下欄第１行〜右下欄第４行）
　
Ｄ．「第３図は本発明の一部要部構成図を示す。図中の符号１は文書、１−ｉは個別文書、２−１，２−２，…は個別文書の内容を保持する文書ファイル、３−１，３−２，…は夫々文書処理ソフトウェア群、４は上述の個別文書に対応する構造文書を作成するに当っていわばひな型として用いられる構造文書定義、５は個別文書処理を実行する文書処理機能部、６は構造文書、７は文書内容を保持する文書保持機能部を表している。
　文書１としては、例えば論文や報告書や手紙や技術マニアルなどが存在しているが、或る種類の文書例えば論文に対応して、当該論文についての典型的な階層構造を構造体として記述した構造文書定義４が用意される。
　当該構造文書定義４は、各種の文書毎に用意されていると考えてよく、例えば図示の文書，表紙，１章，１．１節，…の如く木構造に展開されたノード（＃ｌ，＃２，…）をそなえている、各ノード（＃ｌ，＃２，…）には、後述する如く、木構造に関する情報や、使用されるソフトウェアや、印刷を行う際における印刷位置に関する情報などの属性情報が記述されている。」（第４頁右上欄第１６行〜左下欄第１７行）
　
Ｅ．「第６図は印刷処理機能における一実施例印刷処理フローを示している。
（１）処理○１（審決注：丸囲み数字を表記することができないため、「○１」と表記する。以下、同様。）において、印刷すべき個別文書における先頭の頁に関するページ番号を設定する。即ち先頭の頁が第１頁であればページ番号を「１」とする。
（２）処理○２において、例えば第１図図示のノード（表示（審決注：この記載は「表紙」の誤記であると認められる。））＃２やノード（１．１節）＃５などの属性情報中に記述されている開始ページ属性（印刷出力するに当っての印刷すべき頁に関する情報）と、上記ページ番号「１」とが比較される。
（３）処理○３において空白頁を置くことが必要であるか否かが調べられる。
（４）処理○４において、上記空白頁を置くことが必要な場合に、空白頁がもうけられる。
（５）処理○５において、例えばノード＃５に関連する文書内容を編集し印刷データを作成する。
（６）処理○６において、第１図図示の構造文書６−ｉで特定される個別文書に関して、すべてのノードに対応する内容（図示の場合にはノード（参考文献）＃９に対応する内容）が印刷されたか否かが確かめられる。
（７）処理○７において、上記個別文書に関して、すべて印刷されていない場合に、今印刷された文書内容が印刷され終わった頁についてのページ番号を更新する（印刷され終わった頁のページ番号にする）。
（８）そして、上記処理○２に戻る。」（第５頁左下欄第６行〜右下欄第１３行）
　
　上記Ａ〜Ｅの記載及び関連する図面を参照すると、引用例１には、実質的に、次の発明が記載されているものと認められる。（以下、「引用例１記載の発明」という。）
「複数の文書ファイルと、当該複数の文書ファイルを順位を定義して関連付け、定義された順序に従い一括して前記複数の文書ファイルを印刷出力する際に参照される構造文書定義情報を記憶する記憶手段を備え、 
　前の文書ファイルの終了頁が奇数頁である場合に、空白頁を置いて、次の文書ファイルの印刷が奇数頁から始まるように指示する装置。」
　
（引用例２）
Ｆ．「【００４２】なお、上記実施形態では、印刷ジョブのラスタデータへの変換後に、白紙ラスタデータを挿入している。しかし、ＰＤＬの仕様などにより変換前に印刷ジョブを構成する各文書のページ数を検知することができる場合には、このページ数の積算値に基づいてブロックの末ページの偶奇を判定し、ラスタデータへの変換前にＰＤＬで記述された白紙データを挿入する構成とすることができる。」
　
３．対比 
　本願発明と引用例１記載の発明とを対比すると、次のことがいえる。
　
（あ）引用例１記載の発明における「文書ファイル」、「印刷出力」、「構造文書定義情報」は、それぞれ、本願発明における「ファイル」、「出力」、「管理情報」に相当する。
　
（い）引用例１記載の発明における「空白頁」は、本願発明における「ブランクページ」に相当する。
　そして、引用例１記載の発明において、「前の文書ファイルの終了頁が奇数頁である場合に、空白頁を置いて、次の文書ファイルの印刷が奇数頁から始まるように指示」することにより、「ページ数が奇数である文書ファイルと、当該文書ファイルよりも順位が１つ下位の文書ファイルとの間に、空白頁が印刷出力」されるような動作が行われると解される。
　よって、本願発明と引用例１記載の発明とは、ともに、「ページ数が奇数であるファイルと、当該ファイルよりも順位が１つ下位のファイルとの間に、ブランクページが出力」されるような動作をする点において共通するということができる。
　
（う）引用例１記載の発明における「装置」も「ファイル管理装置」と呼び得るものである。
　
　上記（あ）〜（う）の事項を踏まえると、本願発明と引用例１記載の発明とは、次の点で一致し、また、相違するものと認められる。
　
（一致点）
　本願発明と引用例１記載の発明とは、ともに、
「複数のファイルと、当該複数のファイルを順位を定義して関連付け、定義された順序に従い一括して前記複数のファイルを出力する際に参照される管理情報を記憶する記憶手段を備え、
　ページ数が奇数であるファイルと、当該ファイルよりも順位が１つ下位のファイルとの間に、ブランクページが出力されるようにしたファイル管理装置。」
である点。
　
（相違点）
　相違点１：本願発明においては、「記憶手段」が「ブランクページファイル」をも記憶するものであるのに対し、引用例１記載の発明においては、「空白頁」そのものを記憶しておくとはされていない点。
　
　相違点２：本願発明は、「複数のファイルそれぞれのページ数を取得する取得手段」及び「取得されたページ数それぞれが、奇数であるか否かを判断するための判断手段」を備えるものであるのに対し、引用例１のものにおいては、各文書ファイルの「終了頁」を取得してそれが「奇数頁」であるか否かを判断していると解されるものの、「ページ数」を取得してそれが「奇数」であるか否かを判断するとはされていない点。
　
　相違点３：本願発明は、「管理情報を、ページ数が奇数と判断されたファイルと、当該ファイルよりも順位が１つ下位のファイルとの間に、前記ブランクページファイルを加えるように、前記複数のファイルと前記ブランクページファイルについて新たに順位を定義して関連付けた管理情報に変更して、前記記憶手段に記憶させる変更手段」を備えるものであるのに対し、引用例１記載の発明は、そのような手段を備えるものではない点。
　
４．当審の判断 
　そこで、上記相違点１〜３について検討する。
　
（相違点１について）
　上記引用例２には、「ラスタデータへの変換前にＰＤＬで記述された白紙データを挿入する構成」との記載がなされている。ここで、挿入される「ＰＤＬで記述された白紙データ」は、何らかの記憶手段に記憶しておくものと認められる。
　してみれば、引用例１記載の発明において、上記引用例２の記載を参酌し、「記憶手段」が「ブランクページファイル」をも記憶するようなものとすることは、当業者が容易に想到し得ることである。
　
（相違点２について）
　上記引用例２には、「ＰＤＬの仕様などにより変換前に印刷ジョブを構成する各文書のページ数を検知することができる場合」との記載もなされている。
　してみれば、引用例１記載の発明において、上記引用例２の記載を参酌し、各文書ファイルの「ページ数」を取得して「奇数」であるか否かを判断するような構成とすること、すなわち、「複数のファイルそれぞれのページ数を取得する取得手段」及び「取得されたページ数それぞれが、奇数であるか否かを判断するための判断手段」を備えるような構成とすることは、当業者が容易に想到し得ることである。
　
（相違点３について）
　上記「相違点１について」で検討したように、「記憶手段」が「ブランクページファイル」をも記憶するようなものとすることは、当業者が容易に想到し得ることである。すなわち、引用例１の第１，３図のものにおいて、「文書ファイル２−１，２−２，…」と同様に、「ブランクページファイル」をも記憶しておくようにすることは、当業者が容易に想到し得ることである。
　そして、引用例１のものにおいて、「文書ファイル２−１，２−２，…」のうちの「ページ数が奇数であるファイル」と、「当該ファイルよりも順位が１つ下位のファイル」との間に「ブランクページ」が出力されるようにするためには、記憶してある「ブランクページファイル」をも含めた「構造文書定義」を新たに行うようにすればよいということは、当業者が容易に想到し得ることである。
　その場合、「構造文書定義情報」（管理情報）を、「ページ数が奇数と判断されたファイル」と「当該ファイルよりも順位が１つ下位のファイル」との間に「ブランクページファイル」を加えるように、「複数のファイル」と「ブランクページファイル」について新たに順位を定義して関連付けた「構造文書定義情報」（管理情報）に変更すればよいということは、当業者にとって明らかである。
　よって、引用例１記載の発明において、「管理情報を、ページ数が奇数と判断されたファイルと、当該ファイルよりも順位が１つ下位のファイルとの間に、前記ブランクページファイルを加えるように、前記複数のファイルと前記ブランクページファイルについて新たに順位を定義して関連付けた管理情報に変更して、前記記憶手段に記憶させる変更手段」を備えるようにすることは、当業者が適宜に設計できる事項である。
　
（本願発明の作用効果について）
　そして、本願発明の構成によってもたらされる効果も、引用例１記載の発明及び上記引用例２の記載事項から当業者が容易に予測することができる程度のものであって、格別のものとはいえない。 
　
５．むすび
　以上のとおり、本願発明は、引用例１記載の発明及び上記引用例２の記載事項に基いて、当業者が容易に発明をすることができたものであるので、特許法第２９条第２項の規定により特許を受けることができない。
　したがって、本願は、他の請求項について検討するまでもなく、拒絶されるべきものである。
　よって、結論のとおり審決する。